(57)【要約】【課題】本発明は、接地片が固定される電気コネクタを提供することを目的とする。【解決手段】本発明の電気コネクタは、絶縁性本体と、前記絶縁性本体に固定される複数の端子と、前記絶縁性本体に配置される接地片と、前記絶縁性本体を被覆するハウジングと、を備える。前記接地片の後端及びハウジングの後端のうちの一方には支持部が配置され、他方には、上下方向において前記支持部を挟む少なくとも一対の挟持部材が配置される。【選択図】図２
2017188419.tif 000002
【特許請求の範囲】
【請求項１】
絶縁性本体と、
前記絶縁性本体に固定される複数の端子と、
前記絶縁性本体に配置される接地片と、
前記絶縁性本体を被覆するハウジングと、
を備え、前記接地片の後端及びハウジングの後端のうちの一方には支持部が配置され、他方には、上下方向において前記支持部を挟む少なくとも一対の挟持部材が配置されていることを特徴とする電気コネクタ。
【請求項２】
前記支持部が、前記接地片の後端に設けられた一対の支持部であり、前記挟持部材が、前記ハウジングの後端に設けられた二対の挟持部材であり、各対の挟持部材の間には、前記支持部を収納する収納部が形成されていることを特徴とする請求項１に記載の電気コネクタ。
【請求項３】
各支持部は、上下方向において前記一対の挟持部材の間に挟まれ、半田接続されていることを特徴とする請求項２に記載の電気コネクタ。
【請求項４】
前記接地片の後端には、上下方向に沿って延在する一対の固定脚が設けられ、前記一対の固定脚が前記一対の支持部の内側に隣接し、前記支持部及び前記挟持部材の内側に支持されることを特徴とする請求項２に記載の電気コネクタ。
【請求項５】
前記接地片は、前記固定脚から内側へ延在する一対の当接ビームを有し、前記絶縁性本体には、両側から側方へ延在する一対の当接部が設けられ、前記一対の当接ビームが前記一対の当接部に当接することを特徴とする請求項４に記載の電気コネクタ。
【請求項６】
前記電気コネクタは金属シェルを備え、前記金属シェルが、水平方向において前記絶縁性本体を被覆する第１遮蔽部を有し、前記第１遮蔽部の両側には、相手方向に沿って延在する一対の第１弾性ビームが設けられ、前記第１弾性ビームが、前記挟持部材を取り囲み、前記第１弾性ビームの自由端が前記挟持部材の前端と係合することを特徴とする請求項１に記載の電気コネクタ。
【請求項７】
前記電気コネクタは、防水部を含み、前記金属シェルが、上下方向に沿って、前記防水部の後部を被覆する第２遮蔽部を有し、前記第２遮蔽部が、ギャップと、前記ギャップに設けられて前記防水部の後端に当接する第２弾性ビームと、を有することを特徴とする請求項６に記載の電気コネクタ。
【請求項８】
前記絶縁性本体は、第１絶縁性本体及び第２絶縁性本体を有し、前記第１絶縁性本体が、第１基部と、前記第１基部から後向きに延在する第１後端部と、を有し、前記第２絶縁性本体が、第２基部を有し、前記第２遮蔽部が前記第１基部の後端を遮蔽し、前記金属シェルが、前記第１遮蔽部から下向きに延在して前記第１後端部を遮蔽する第３遮蔽部を有することを特徴とする請求項７に記載の電気コネクタ。
【請求項９】
前記第１後端部には、防水材料が流れる貫通孔が形成され、前記接地片の後端及び絶縁性本体の後端には、前記防水材料が流れるスリットが形成され、前記防水部が前記防水材料によって形成されていることを特徴とする請求項８に記載の電気コネクタ。
【請求項１０】
前記絶縁性本体には、前記ハウジングから前向きに延出する舌板が設けられ、前記ハウジングには、内へ突出し、相手コネクタと接触する係合部が設けられ、前記ハウジングの両側には、前記ハウジングの前端に延在し、電気コネクタの回転を阻止するプレートフォームが設けられていることを特徴とする請求項１に記載の電気コネクタ。
【発明の詳細な説明】
【技術分野】
【０００１】
本発明は、電気コネクタに関し、特に、正面で又は反面で挿入可能な電気コネクタに関するものである。
【背景技術】
【０００２】
従来の電気コネクタは、絶縁性本体と、複数の端子と、シェルと、絶縁性本体に配置される接地片と、絶縁性本体を遮蔽するハウジングと、を備える。絶縁性本体は、上側本体部と、下側本体部と、を有する。接地片が上側本体部及び下側本体部の間に挟まれる。
【０００３】
ハウジングが絶縁性本体に取り付けられる過程で、接地片が上側本体部及び下側本体部の間で回転し、所定の位置から離れる。
【先行技術文献】
【特許文献】
【０００４】
【特許文献１】中国実用新案第２０４２３０５５５号公報
【特許文献２】中国実用新案第２０４２５７９０８号公報
【発明の概要】
【発明が解決しようとする課題】
【０００５】
そこで、本発明の目的は、接地片が固定される電気コネクタを提供することにある。
【課題を解決するための手段】
【０００６】
前記目的を達成するために、本発明の電気コネクタは、絶縁性本体と、前記絶縁性本体に固定される複数の端子と、前記絶縁性本体に配置される接地片と、前記絶縁性本体を被覆するハウジングと、を備える。前記接地片の後端及びハウジングの後端のうちの一方には支持部が配置され、他方には、上下方向において前記支持部を挟む少なくとも一対の挟持部材が配置される。
【発明の効果】
【０００７】
従来の技術と比べると、本発明は以下の長所を有する。挟持部材の間には、支持部を収納するための収納部が形成される。接地片がハウジングに固定される。絶縁性本体が回転することを防止できる。
【図面の簡単な説明】
【０００８】
【図１】本発明の電気コネクタの組立斜視図である。
【図２】図１を別の角度から見た組立斜視図である。
【図３】金属シェルが絶縁性本体に取り付けない斜視図である。
【図４】電気コネクタの部分の分解斜視図である。
【図５】図４を別の角度から見た分解斜視図である。
【図６】電気コネクタの分解斜視図である。
【図７】図６を別の角度から見た分解斜視図である。
【図８】図１のＡ−Ａ線に沿って切た断面図である。
【発明を実施するための形態】
【０００９】
図１〜図７に示すように、本発明の電気コネクタ１００は、絶縁性本体１と、絶縁性本体１に固着される複数の端子２と、絶縁性本体１に取り付けられる接地片３と、絶縁性本体１を被覆するハウジング４と、金属シェル５と、防水部６と、を備える。
【００１０】
図５及び図６に示すように、絶縁性本体１は、第１絶縁性本体１１と、第２絶縁性本体１２と、及び第３絶縁性本体１３と、を備える。第１絶縁性本体１１は、第１基部１１１と、第１基部１１１から延在する第１舌板１１２と、を備える。第１舌板１１２には、第１基部１１１から離れる複数の第１窪溝１１０が形成される。第１舌板１１２の下表面には、下向きに突出する複数の凸状部片１１４が設けられる。第１基部１１１の後端には、後向きに延在する第１後端部１１５と、外へ延在する当接部１１６と、が設けられる。図３に示すように、第１基部１１１の後端の上表面には、防水材料が入る貫通孔１１７が形成される。第２絶縁性本体１２は、第２基部１２１と、第２基部１２１から延在する第２舌板１２２と、を備える。第２舌板１２２には、第２基部１２１から離れる複数の第２窪溝１２０が形成される。第２舌板１２２の下表面には、下向きに突出する複数の突出部１２３が設けられる。第２舌板１２２の前端には、係合部１２４が設けられる。係合部１２４が第１絶縁性本体１１の第１舌板１１２の前端に当接する。第３絶縁性本体１３が、第１絶縁性本体１１の第１窪溝１１０及び第２絶縁性本体１２の第２窪溝１２０に収容される。
【００１１】
端子２は、第１絶縁性本体１１に固定される一列の第１端子２１と、第２絶縁性本体１２に固定される一列の第２端子２２と、を備える。一列の第１端子２１は、第１舌板１１２の上表面に露出される第１接触部２１１と、第１窪溝１１０から露出される第１固定部２１２と、第１後端部１１５から水平に延出する第１半田接続部２１３と、を備える。第１舌板１１２の上表面から露出される第１接触部２１１の外表面が、第１舌板１１２の上表面と面一になる。図５及び図６に示すように、最外側に配置される第１端子２１の接地端子の第１固定部２１２には、下向きに折り曲げ、内へ延在する第１連接部２１４が設けられる。
【００１２】
一列の第２端子２２は、第２舌板１２２の上表面に露出される第２接触部２２１と、第２窪溝１２０から露出される第２固定部２２２と、第２基部１２１から水平に延出する第２半田接続部２２３と、を備える。第２舌板１２２の下表面から露出される第２接触部２２１の外表面が、第２舌板１２２の下表面と面一になる。図５及び図６に示すように、最外側に配置される第２端子２２の接地端子の第２固定部２２２には、上向きに折り曲げ、内へ延在する第２連接部２２４が設けられる。
【００１３】
第１端子２１及び第２端子は、反方向に沿って対称に配置され、ＵＳＢ  ＴＹＰＥ  Ｃの規格を符合する。一列の第１端子２１及び一列の第２端子はそれぞれ、八の信号端子と、信号端子より前向きに突出するパワー端子と、接地端子と、を有する。接地端子は、両側に配置される。パワー端子は、中間に配置される。八の信号端子は、両側に配置される四つの高速差分信号端子と、中央に配置される二つの低速差分信号端子と、制御端子と、を備える。第１端子２１の第１半田接続部２１３と第２端子２２の第２半田接続部２２３とは、面一になる。
【００１４】
接地片３は、水平に延在し、第１絶縁性本体１１及び第２絶縁性本体１２の間に配置される主体部３１と、主体部３１の両側に配置される支持部３２と、後端に設けられる固定部３３と、を備える。主体部３１の前端の両側には、絶縁性本体１から露出されるフランジ３０が設けられる。主体部３１には、第２絶縁性本体１２の突出部１２３を収納する保持孔３１１と、第１窪溝１１０及び第２窪溝１２０に収納される係合部３１２と、を備える。第１端子２１の第１連接部２１４が、接地片３の係合部３１２に当接する。第２端子２２の第２連接部２２４が、接地片３の係合部３１２に当接する。第１端子２１の接地端子は、第２端子２２の接地端子と電気接続する。支持部３２は、第１基部１１１及び第２基部１２１の両側に配置される。固定部３３は、上下方向に延在する固定脚３３１と、固定脚３３１から外へ水平に延在する固定ビーム３３２と、当接ビーム３３３と、を有する。固定脚３３１と、当接ビーム３３３と、絶縁性本体１の第１後端部１１５との間には、防水材料が流れるスリット１０が形成される。
【００１５】
図１〜図７に示すように、ハウジング４は、天壁４１と、底壁４２と、天壁４１と底壁４２とを連接する一対の側壁４３と、を備える。図６に示すように、ハウジング４の前端には、環状部４０が設けられる。ハウジング４の天壁４１及び底壁４２には、内側へ突出し、相手コネクタと接触し、接地するための複数の係合部４１０が設けられる。側壁４３には、外側へ延在し、下向きに折り曲げられた取付部４４が設けられる。取付部４４の前端には、ハウジングの前端に延在し、下向きに突出するプレートフォーム４４１が設けられる。プレートフォーム４４１が回路基板に固定され、電気コネクタ１００の回転を防止できる。一対の側壁４３の後端には、収納部４５０が形成される一対の挟持部材４５が設けられる。
【００１６】
接地片３の支持部３３２が、上下方向において一対の挟持部材４５の収納部４５０に収納され、半田接続される。接地片３の当接ビーム３３３が、絶縁性本体１の当接部１１６に当接する。接地片３がハウジング４に固定される。第１舌板１１２及び第２舌板１２２が固定され、回転することを防止できる。ハウジング４には、阻止壁４６が設けられる。第１基部１１１及び第２基部１２１が阻止壁４６の後表面に当接される。
【００１７】
第１舌板１１２と、第２舌板１２２と、接地片３の主体部３１と、端子２の第１接触部２１１と、第２接触部２２１と、部分の第３絶縁性本体１３とは、ハウジング４の端口から前向きに突出する。
【００１８】
図５及び図６に示すように、金属シェル５は、水平に延在する第１遮蔽部５１と、第１遮蔽部５１から上向きに延在する第２遮蔽部５２と、第１遮蔽部５１の後端から下向きに延在する第３遮蔽部５３と、第１遮蔽部５１の両側から下向きに折り曲げられる第１弾性ビーム５４と、を備える。第１遮蔽部５１は、絶縁性本体１の第１基部１１１を遮蔽する。第２遮蔽部５２は、絶縁性本体１の第２基部１２１の後端を遮蔽する。第３遮蔽部５３は、絶縁性本体１の第１後端部１１５を遮蔽し、ハウジング４の後端に付着される。第１弾性ビーム５４が、ハウジング４の挟持部材４５を取り囲む。第１弾性ビーム５４の自由端が、挟持部材４５の前端と係合する。第２遮蔽部５２の中部には、ギャップ５２１と、ギャップ５２１に設けられて防水部６を当接する第２弾性ビーム５２２と、を備える。
【００１９】
図２に示すように、電気コネクタ１００は、絶縁性本体１の後端にシールする防水部６が設けられる。防水材料が、スリット１０及び貫通孔１１７によって、第１基部１１１と、第２基部１２１と、ハウジング４との間に流れ、防水部６が形成される。
【００２０】
他の実施形態においては、支持部３３２が、ハウジング４に配置される。挟持部材４５が接地片３に配置される。
【符号の説明】
【００２１】
１００  電気コネクタ
１  絶縁性本体
１０  スリット
１１  第１絶縁性本体
１１０  第１窪溝
１１１  第１基部
１１２  第１舌板
１１４  凸状部片
１１５  第１後端部
１１６  当接部
１１７  貫通孔
１２  第２絶縁性本体
１２０  第２窪溝
１２１  第２基部
１２２  第２舌板
１２３  突出部
１２４  係合部
１３  第３絶縁性本体
２  端子
２１  第１端子
２１１  第１接触部
２１２  第１固定部
２１３  第１半田接続部
２１４  第１連接部
２２  第２端子
２２１  第２接触部
２２２  第２固定部
２２３  第２半田接続部
２２４  第２連接部
３  接地片
３０  フランジ
３１  主体部
３１１  保持孔
３１２  係合部
３２  保持部
３３  固定部
３３１  固定脚
３３２  支持部
３３３  当接ビーム
４  ハウジング
４０  環状部
４１  天壁
４１０  係合部
４２  底壁
４３  側壁
４４  取付部
４４１  プレートフォーム
４５  挟持部材
４５０  収納部
４６  阻止壁
５  金属シェル
５１  第１遮蔽部
５２  第２遮蔽部
５２１  ギャップ
５２２  第２弾性ビーム
５３  第３遮蔽部
５４  第１弾性ビーム
６  防水部
【図１】
2017188419.tif 000003
【図２】
2017188419.tif 000004
【図３】
2017188419.tif 000005
【図４】
2017188419.tif 000006
【図５】
2017188419.tif 000007
【図６】
2017188419.tif 000008
【図７】
2017188419.tif 000009
【図８】
2017188419.tif 000010